(57)【特許請求の範囲】
【請求項１】
測光結果に基づき前もって決められていた組み合わせからシャッタスピード値と絞り値を自動で選択する選択手段があるカメラにおいて、
シャッタスピード値と絞り値とを表示可能な表示手段と、
絞り値の設定値を変更する絞り値設定部材と、
シャッタスピード値の設定値を変更するシャッタスピード値設定部材と、
前記選択手段が選択したシャッタスピード値及び絞り値を前記表示手段に表示する表示制御手段と、を備え、
前記表示制御手段は、測光結果に基づいて前記選択手段が選択したシャッタスピード値と絞り値とを前記表示手段に表示しているときに、前記絞り値設定部材が操作された場合は前記選択手段が選択した絞り値を設定値として前記表示手段に表示し、前記シャッタスピード値設定部材が操作された場合は前記選択手段が選択したシャッタスピード値を前記表示手段に設定値として表示し、絞り値またはシャッタスピード値を設定値として表示された後に、更に前記絞り値設定部材または前記シャッタスピード値設定部材が操作された場合は該操作に伴い絞り値またはシャッタスピード値の設定値がアップまたはダウンするように変更されることを特徴とするカメラ。
【請求項２】
測光結果に基づいて絞り値設定手段によって設定された絞り値に対応するシャッタスピード値を演算する演算手段があるカメラにおいて、
シャッタスピード値を表示可能な表示手段と、
シャッタスピード値の設定値を変更するシャッタスピード値設定部材と、
前記演算手段が演算したシャッタスピード値を前記表示手段に表示する表示制御手段と、を備え、
前記表示制御手段は、測光結果に基づいて前記演算手段が前記絞り値設定手段によって設定された絞り値に対応する演算されたシャッタスピード値を前記表示手段に表示しているときに、前記シャッタスピード値設定部材が操作された場合は前記表示手段に表示しているシャッタスピード値を設定値として表示し、シャッタスピード値を設定値として表示された後に、更に前記シャッタスピード値設定部材が操作された場合は該操作に伴いシャッタスピード値の設定値がアップまたはダウンするように変更されることを特徴とするカメラ。
【請求項３】
測光結果に基づいてシャッタスピード設定手段によって設定されたシャッタスピード値に対応する絞り値を演算する演算手段があるカメラにおいて、
絞り値を表示可能な表示手段と、
絞り値の設定値を変更する絞り値設定部材と、
前記演算手段が演算した絞り値を前記表示手段に表示する表示制御手段と、を備え、
前記表示制御手段は、測光結果に基づいて前記演算手段が前記シャッタスピード設定手段によって設定されたシャッタスピード値に対応する演算された絞り値を前記表示手段に表示しているときに、前記絞り値設定部材が操作された場合は表示している絞り値を設定値として前記表示手段に表示し、絞り値を設定値として表示された後に、更に前記絞り値設定部材が操作された場合は該操作に伴い絞り値の設定値がアップまたはダウンするように変更されることを特徴とするカメラ。
【請求項４】
前記絞り値設定部材と前記シャッタスピード値設定部材とが電子ダイアルで構成されるとともに、前記表示手段の表示を前記電子ダイアルの操作に基づく表示に切り替える表示切り替え部材を備え、
前記表示切り替え部材が操作状態にある際に、前記電子ダイアルによってシャッタスピード値又は絞り値の変更が可能であることを特徴とする請求項１に記載のカメラ。
【請求項５】
前記シャッタスピード値設定部材が電子ダイアルで構成されるとともに、前記表示手段の表示を前記電子ダイアルの操作に基づく表示に切り替える表示切り替え部材を備え、
前記表示切り替え部材が操作状態にある際に、前記電子ダイアルによってシャッタスピード値の変更が可能であることを特徴とする請求項２に記載のカメラ。
【請求項６】
前記絞り値設定部材が電子ダイアルで構成されるとともに、前記表示手段の表示を前記電子ダイアルの操作に基づく表示に切り替える表示切り替え部材を備え、
前記表示切り替え部材が操作状態にある際に、前記電子ダイアルによって絞り値の変更が可能であることを特徴とする請求項３に記載のカメラ。
【発明の詳細な説明】
【０００１】
【発明の属する技術分野】
本発明は、手動で設定したシャッタスピード値や絞り値を、簡単な操作で適正露出が得られる演算値に置き換えることが可能なカメラの露光モードに関するものである。
【０００２】
【従来の技術】
従来は、手動でシャッタスピードと絞り値を設定するマニュアル露光モードにおいては、カメラ内の測光センサを用いて適正露出を得るためには、カメラ内の測光センサの出力と設定値の差がなくなるように、表示などを見ながら手動でシャッタスピードや絞り値を入力していた。しかし、この操作は意外と手間がかかるので、１つの釦操作で、測光センサの出力をもとに演算された適正露出を得るためのシャッタスピード値と絞り値を、現在設定されている設定値は無視して、設定値と置き換えるというモードが提案され製品化されている。
【０００３】
【発明が解決しようとする課題】
しかしながら、上記従来例においては、適正露出の得られるシャッタスピードや絞り値を見てから、撮影者が現在の設定値と演算値を入れ換えるかの判断をする余地はなく、適正露出のシャッタスピードと絞り値が表示された時には設定値も入れ代わってしまい、撮影意図を考えて設定していた設定値は無駄になってしまう。つまり、適正露出を得るためのシャッタスピードや絞り値を参考までに見るということが不可能である。
【０００４】
また、演算値を設定する部材と、絞り値やシャッタスピード値を設定する部材が別であるため、カメラ内の露出計に対してマニアル露出モードで補正を加える場合に操作が煩わしくなる。
【０００５】
そこで、本発明の目的は、今までになかったマニアルと自動の中間的露出モードの提案が可能となるカメラを提供することにある。
【０００６】
更に、本発明の目的は、マニアル露出モードにおける適正露出に対する補正の操作性を向上させ、撮影者の思考に合った露出決定を可能にするカメラを提供することにある。
【０００８】
【課題を解決するための手段】
上記目的を達成するため、請求項１に記載の発明は、測光結果に基づき前もって決められていた組み合わせからシャッタスピード値と絞り値を自動で選択する選択手段があるカメラにおいて、シャッタスピード値と絞り値とを表示可能な表示手段と、絞り値の設定値を変更する絞り値設定部材と、シャッタスピード値の設定値を変更するシャッタスピード値設定部材と、前記選択手段が選択したシャッタスピード値及び絞り値を前記表示手段に表示する表示制御手段と、を備え、前記表示制御手段は、測光結果に基づいて前記選択手段が選択したシャッタスピード値と絞り値とを前記表示手段に表示しているときに、前記絞り値設定部材が操作された場合は前記選択手段が選択した絞り値を設定値として前記表示手段に表示し、前記シャッタスピード値設定部材が操作された場合は前記選択手段が選択したシャッタスピード値を前記表示手段に設定値として表示し、絞り値またはシャッタスピード値を設定値として表示された後に、更に前記絞り値設定部材または前記シャッタスピード値設定部材が操作された場合は該操作に伴い絞り値またはシャッタスピード値の設定値がアップまたはダウンするように変更されることを特徴としている。
【０００９】
この構成によれば、マニアル撮影モードにおいて、演算値を撮影意図に合わせて、撮影者の判断で絞り値、シャッタスピード値個別に設定値として用いることができる。また、絞り値またはシャッタスピード値を設定表示させた後でも、絞り値設定部材またはシャッタスピード値設定部材を操作することにより、絞り値またはシャッタスピード値をさらに変更することが可能になる。
【００１０】
また、請求項２に記載の発明は、測光結果に基づいて絞り値設定手段によって設定された絞り値に対応するシャッタスピード値を演算する演算手段があるカメラにおいて、シャッタスピード値を表示可能な表示手段と、シャッタスピード値の設定値を変更するシャッタスピード値設定部材と、前記演算手段が演算したシャッタスピード値を前記表示手段に表示する表示制御手段と、を備え、前記表示制御手段は、測光結果に基づいて前記演算手段が前記絞り値設定手段によって設定された絞り値に対応する演算されたシャッタスピード値を前記表示手段に表示しているときに、前記シャッタスピード値設定部材が操作された場合は前記表示手段に表示しているシャッタスピード値を設定値として表示し、シャッタスピード値を設定値として表示された後に、更に前記シャッタスピード値設定部材が操作された場合は該操作に伴いシャッタスピード値の設定値がアップまたはダウンするように変更されることを特徴としている。
【００１１】
この構成によれば、設定と同時に同じシャッタスピード値設定部材の操作で設定値変更が続けて可能になる。また、シャッタスピード値を設定表示させた後でも、シャッタスピード値設定部材を操作することにより、シャッタスピード値をさらに変更することが可能になる。
【００１２】
また、請求項３に記載の発明は、測光結果に基づいてシャッタスピード設定手段によって設定されたシャッタスピード値に対応する絞り値を演算する演算手段があるカメラにおいて、絞り値を表示可能な表示手段と、絞り値の設定値を変更する絞り値設定部材と、前記演算手段が演算した絞り値を前記表示手段に表示する表示制御手段と、を備え、前記表示制御手段は、測光結果に基づいて前記演算手段が前記シャッタスピード設定手段によって設定されたシャッタスピード値に対応する演算された絞り値を前記表示手段に表示しているときに、前記絞り値設定部材が操作された場合は表示している絞り値を設定値として前記表示手段に表示し、絞り値を設定値として表示された後に、更に前記絞り値設定部材が操作された場合は該操作に伴い絞り値の設定値がアップまたはダウンするように変更されることを特徴としている。
【００１３】
この構成によれば、設定と同時に同じ絞り値設定部材の操作で設定値変更が続けて可能になる。また、絞り値を設定表示させた後でも、絞り値設定部材を操作することにより、絞り値をさらに変更することが可能になる。
【００１７】
また、請求項４に記載の発明は、前記絞り値設定部材と前記シャッタスピード値設定部材とが電子ダイアルで構成されるとともに、前記表示手段の表示を前記電子ダイアルの操作に基づく表示に切り替える表示切り替え部材を備え、前記表示切り替え部材が操作状態にある際に、前記電子ダイアルによってシャッタスピード値又は絞り値の変更が可能であることを特徴としている。
この構成によれば、従来のカメラ部品をその用途のまま使用する低コストの構成で、カメラの機能を拡張し操作性を良くすることができる。
また、請求項５に記載の発明は、前記シャッタスピード値設定部材が電子ダイアルで構成されるとともに、前記表示手段の表示を前記電子ダイアルの操作に基づく表示に切り替える表示切り替え部材を備え、前記表示切り替え部材が操作状態にある際に、前記電子ダイアルによってシャッタスピード値の変更が可能であることを特徴としている。
この構成によれば、従来のカメラ部品をその用途のまま使用する低コストの構成で、カメラの機能を拡張し操作性を良くすることができる。
また、請求項６に記載の発明は、前記絞り値設定部材が電子ダイアルで構成されるとともに、前記表示手段の表示を前記電子ダイアルの操作に基づく表示に切り替える表示切り替え部材を備え、前記表示切り替え部材が操作状態にある際に、前記電子ダイアルによって絞り値の変更が可能であることを特徴としている。
この構成によれば、従来のカメラ部品をその用途のまま使用する低コストの構成で、カメラの機能を拡張し操作性を良くすることができる。
【００１８】
【発明の実施の形態】
（第１の実施の形態）
以下、本発明の第１の実施の形態について図を参照して説明する。
【００１９】
図１は本発明の第１の実施の形態に係るカメラの動作のフローチャートである。
【００２０】
図２は図１に示すカメラのブロック図である。
【００２１】
図３は図２に示すカメラの基本の撮影動作のフローチャートである。
【００２２】
図２において、１はカメラ各部の動きを制御するためのマイクロコンピユータ（以降、マイコンと略す）である。２はレンズ制御回路で、撮影レンズ１３の焦点調節用モータと絞り羽根制御用モータを駆動制御する。レンズ制御回路２はマイコン１からＬＣＯＭ信号を受けている間、ＤＢＵＳを介してシリアル通信を行う。シリアル通信によりモータ駆動情報を受けとり、その情報によりモータを駆動制御する。また、同時にレンズの各種の情報（焦点距離等）をシリアル通信によりマイコン１へ送る。
【００２３】
３は液晶表示回路で、カメラのバッテリ残量や撮影枚数やＴＶ値、ＡＶ値、露出補正量などを撮影者に知らせるための液晶表示器を駆動する液晶表示回路である。液晶表示回路３はマイコン１からＤＰＣＯＭ信号を受けているいる間、ＤＢＵＳを介しシリアル通信を行う。シリアル通信により表示データを受け取り、そのデータに従って液晶表示器１１，１２を駆動する。
【００２４】
４はスイッチセンス回路であり、撮影者が各撮影条件を設定するためのスイッチや、カメラの状態を示すスイッチの状態を読取りマイコン１へ送る回路で、ＳＷＣＯＭ信号を受けている間ＤＢＵＳを介しシリアル通信によりマイコン１にスイッチデータを送る。また、電子ダイアル１０の入力値により、ダイアル値のカウントアップ／カウントダウンも行い、ＳＷＣＯＭ信号を受けている間、ＤＢＵＳを介しシリアル通信によりマイコン１にカウント値を送る。
【００２５】
５はストロボ発光調光制御回路であり、ストロボの発光とＴＴＬ調光による発光停止機能を制御する回路である。ストロボ発光調光制御回路５はＳＴＣＯＭ信号を受けている間、ＤＢＵＳを介してマイコン１とシリアル通信を行いストロボ制御に関するデータを受取り各種の制御を行う。また、この回路は外付けストロボがカメラに装着された場合のインターフェースの働きも行う。従って、外付けストロボが装着された場合は、外付けストロボと通信を行いその情報（補助光があるかないか等）をマイコン１へ送る。逆にマイコン１からの制御信号を外付けストロボ１４へ伝える役割を行う。
【００２６】
６は、焦点検出回路で既存の位相差検出方式によりＡＦを行うためのラインセンサと、その蓄積読み出しのための回路ユニットである焦点検出回路であり、マイコン１により制御を行う。マイコン１はセンサ出力のＡ／Ｄ値をもとに既存のアルゴリズムで測距を行い、レンズ駆動量を演算した後に合焦するようにレンズ制御回路２へ演算で求めたレンズ駆動量を通信し、レンズを駆動し合焦させる。７は測光回路であり、被写体の測光を行い、マイコン１の制御により測光出力をマイコン１に送る。マイコン１は送られた測光出力をＡ／Ｄ変換し、露出条件（絞り、シャッタスピード）の演算に用いる。
【００２７】
８は、シャッタ制御回路でマイコン１の制御信号に従ってシャッタ先幕、後幕（図示していない）の走行制御を行う。
【００２８】
９は給送モータ／チャージモータ制御回路で、マイコン１からの制御信号に従って、フィルムの給送（巻き上げ、巻き戻し）を行う。また、本モータ制御回路はミラーアップ／チャージ（ミラーダウン）用モータの制御も行う。ＳＷ１は、カメラの動作を開始させる釦であり、ＳＷ１がＯＮされたことをマイコン１が認識すると測光・測距・表示をスタートさせる。ＳＷ２はカメラのレリーズ釦と連動していて、ＳＷ２がＯＮされたことをマイコン１が認識すると露光動作をスタートさせる。
【００２９】
Ｘ接点はシャッタの先幕の走行完のタイミングでＯＮし、ストロボ発光のタイミングをストロボ発光調光制御回路５に知らせる役目をする。ＳＷ３はカメラのモード（ＴＶ優先、ＡＶ優先、マニアル、プログラム等）を切換えるためのスイッチである。１０ａと１０ｂは、ＴＶ値、ＡＶ値、補正量、モード等を変更するためのメイン電子ダイアルとサブ電子ダイアルである。例えば、ＳＷ３のモード切換え釦を押しながらメイン電子ダイアル１０ａを回転させると、ＴＶ優先→ＡＶ優先→マニアル→プログラム→ＴＶ優先→ＡＶ優先→マニアル→プログラム…と変更され、撮影者の意図するモードに設定することができる。
【００３０】
また、メイン電子ダイアル１０ａを逆回転させた時は、プログラム→マニアル→ＡＶ優先→ＴＶ優先→プログラム→…とモードは変更される。また、モード変更スイッチ３とメイン電子ダイアルによりＴＶ優先モードとして設定されている場合には、メイン電子ダイアル１０ａを回転させることにより撮影者の希望とするＴＶ値を設定することができる。
【００３１】
また、モード変更スイッチ３とメイン電子ダイアルによりＡＶ優先がモードとして設定されている場合には、メイン電子ダイアル１０ａを回転させることで撮影者は希望するＡＶ値を設定することができる。モード変更スイッチ３とメイン電子ダイアルによりプログラムモードが設定されている場合には、メイン電子ダイアルを回転させることによりＴＶ値とＡＶ値の組み合わせを変更するプログラムシフトが可能となる。
【００３２】
また、モード変更スイッチ３とメイン電子ダイアルによりマニアルがモードとして設定されている場合は、メイン電子ダイアル１０ａによりＴＶ値の変更が可能になり、サブ電子ダイアル１０ｂでＡＶ値の変更が可能になる。そして、モード変更スイッチ３とメイン電子ダイアルによりマニアル以外のモード（ＡＶ優先、ＴＶ優先、プログラム）が設定されている場合、サブ電子ダイアル１０ｂにより露出補正の変更が可能である。
【００３３】
ＳＷ４はＡＦモード設定釦である。ＳＷ５は測光モード設定釦である。ＳＷ６は給送モード設定釦である。メインＳＷはカメラの動作を禁止するロックスイッチである。ＳＷ７はシャッタスピード、絞り値の設定値と演算値の表示切換え部材で本発明の内容を実現するものである。
【００３４】
１１は、外部は外部表示装置で液晶表示回路３から駆動される。１２はファインダ内カラー液晶表示装置で液晶表示回路３より駆動される。１３は交換可能なレンズであり、レンズ制御回路２を通して制御される。１４は外付けストロボで、ストロボ発光調光制御回路５を通して制御される。また、本ストロボはカメラ本体とは別な電源を持つ。
【００３５】
つぎに図３のフローチャートを用いて一般的な撮影動作について説明する。
【００３６】
始めは、カメラのＳＷが押された等の要因によりカメラの電源が入った状態であり、次に進む（Ｓ３００）。スイッチ回路４の情報を基に、モードの切換えや設定値の切換えを行い、変化があった場合は液晶表示回路３に通信して、表示データを修正する（Ｓ３０１）。
【００３７】
ＳＷ１が押されているか、押されていないかの判定を行い、押されている場合はＳ３０６へ、押されていなければＳ３０４へ進む（Ｓ３０２）。電源をＯＦＦするかどうかの判定を行い（Ｓ３０３）、ＯＦＦしない場合はＳ３０１のＳＷ情報入力へ戻る。つまり何等かの要因でカメラの電源が立ち上がった場合には、一定時間電源を起こしておくことにより、ＳＷの状態のチェックや表示の切換えを行う。
【００３８】
カメラのファインダ内や外部の不必要な部分の表示を液晶表示回路３により消灯し、電源をＯＦＦする（Ｓ３０４）。終り（Ｓ３０５）。
【００３９】
測光回路７により被写体の測光を行い、測光出力をマイコン１によりＡ／Ｄ変換して、露出条件（絞り、シャッタスピード）の演算を行う（Ｓ３０６）。なお、第１の実施の形態ではマニアル露出モードが設定されている場合、プログラムＡＥ演算を行い、第２の実施の形態では絞り優先ＡＥ演算を行い、第３の実施の形態ではシャッタスピード優先ＡＥの演算を行うことになる。
【００４０】
焦点検出回路６を用いてラインセンサに蓄積し、読み出しを行い、そのセンサ出力のＡ／Ｄ値を基に、既存のアルゴリズムで測距を行い、レンズ駆動量を演算した後に、合焦するようにレンズ制御回路２に演算で求めたレンズ駆動量を通信し、レンズを駆動し合焦させる（Ｓ３０７）。
【００４１】
Ｓ３０６で演算されたＡＶ値／ＴＶ値を液晶表示回路３によりファインダ内液晶１２と外部表示１１に表示する。又、Ｓ３０７の測距結果が合焦ならば、合焦表示も行う（Ｓ３０８）。
【００４２】
次に、カメラの状態がレリーズを許可して良い状態か否かの判定を行う（Ｓ３０９）。例えば、ＡＦモードが「ワンショットモード」である場合はＳ３０７の測距結果が、合焦ならばレリーズは許可され、ＳＷ２のチェックを行うためにＳ３１０へ進み、合焦でない場合はＳＷチェックのためにＳ３０１へ戻る。そしてＳＷ１がＯＮの場合は再び測光／測距／表示を行う。
【００４３】
ＳＷ２が押されているか否かの判定を行い（Ｓ３１０）、Ｓ３１１以降のレリーズ動作に進むか否かを判断する。ＳＷ２がＯＮの場合はレリーズ動作を行うためにＳ３１１へ進み、ＳＷ２がＯＦＦの場合はＳＷのチェックのためにＳ３０１へ戻る。そしてＳＷ１がＯＮの場合は再び測光／測距／表示を行う。
【００４４】
レリーズ動作を開始する。給送モータ／チャージモータ制御回路９により、ミラーをアップすると共に、Ｓ３０６で決められた絞り量をレンズ制御回路２によりレンズ１３に通信し、設定露光量が得られるように絞り込み動作を行う（Ｓ３１１）。
【００４５】
シャッタ制御回路８を用いて、Ｓ３０６で決められたＴＶ量が得られるようにシャッタ先幕及び後幕（図示していない）の走行制御を行う（Ｓ３１２）。給送モータ／チャージモータ制御回路９によりミラーをダウンすると同時に、シャッタのチャージを行い、Ｓ３０６でレンズ制御回路２によりレンズ１３に通信し、絞り込まれていた絞りを開放に戻す（Ｓ３１３）。最後に、給送モータ／チャージモータ制御回路９を用いてマイコン１からの制御信号に従って、フィルムの巻き上げを行う（Ｓ３１４）。以上が一般的な基本撮影動作である。
【００４６】
つぎに図１のフローチャートを用いて本発明の動作について説明する。
【００４７】
スタートして（Ｓ１００）、ここで設定されているシャッタスピード値、絞り値を表示部材１１，１２に表示する（Ｓ１０１）。次に、ＳＷ７が押されているかどうかの判定を行い、押されている場合はＳ１０３へ進み、押されていない場合はＳ１１４へ進む（Ｓ１０２）。
【００４８】
測光センサ７で測光した出力を基に、Ｓ３０６で演算したプログラムＡＥのシャッタスピード値、絞り値を表示部材１１，１２に表示する（Ｓ１０３）。シャッタスピード値設定用の電子ダイアル１０ａが操作されたかどうかの判定を行い、操作された場合はシャッタスピード設定のためにＳ１０５へ進み、操作されていない場合は、絞り値設定用電子ダイアル１０ｂのチェックのためにＳ１０８へ進む（Ｓ１０４）。
【００４９】
次に、電子ダイアル１０ａの操作がＳＷ７が押されて１クリック目かどうかの判定を行い、１クリック目の場合はシャッタスピードのＡＥ演算値を設定値にするためにＳ１０６へ進み、１クリック目でない場合は設定シャッタスピード値をアップダウンするためにＳ１０７へ進む（Ｓ１０５）。
【００５０】
測光センサ７で測光した出力を基に、Ｓ３０６で演算したプログラムＡＥの演算シャッタスピード値をシャッタスピードの設定値にセットする（Ｓ１０６）。
【００５１】
電子ダイアル１０ａの方向、クリック数に応じてシャッタスピード設定値をアップ／ダウンさせる（Ｓ１０７）。次に、絞り値設定用の電子ダイアル１０ｂが操作されたかどうかの判定を行い、操作された場合はＳ１１２へ進む（Ｓ１０８）。
【００５２】
電子ダイアル１０ｂの操作がＳＷ７が押され始めて１クリック目かどうか判定を行い、１クリック目の場合は絞り値ＡＥ演算値を設定値にするためＳ１１０へ進み、１クリック目では無い場合は、設定絞り値をアップ／ダウンするためにＳ１１１に進む（Ｓ１０９）。
【００５３】
測光センサ７により測光した出力を基に、Ｓ３０６で演算したプログラムＡＥの演算絞り値を絞り値の設定値にセットする（Ｓ１１０）。電子ダイアル１０ｂの方向、クリック数に応じて絞り設定値をアップ／ダウンさせる（Ｓ１１１）。ＳＷ７が離されたかどうかの判定を行い、離されたと判断される場合はＳ１１４に進み、離されていない場合はＳ１０４へ戻る（Ｓ１１２）。続いて、シャッタスピード値、絞り値の設定値を表示部材１１，１２に表示する（Ｓ１１３）。終り（Ｓ１１４）。
【００５４】
このように、本実施の形態によれば、マニアル露出モードにおいて、演算値を撮影意図に合わせて、撮影者の判断で絞り値、シャッタスピード値個別に設定値として用いることが可能となる。このことで、今までにないマニアルと自動の中間的な露出モードが提案できる。
【００５５】
（第２の実施の形態）
次に本発明の第２実施について図を参照して説明する。
【００５６】
図４は本発明の第２の実施の形態に係るカメラの動作のフローチャートである。
【００５７】
第２の実施の形態も、図２のブロック図及び図３の基本撮影動作は共通となるので、カメラの構成および図３に示した基本動作については重複する説明は省略し、第２の実施の形態では、マニアル露光に対して適正露出を示すシャッタスピード値と絞り値を演算するのに、絞り優先ＡＥを用いる動作について説明する。図４も図１と同様に図３のＳ３０１のサブルーチンの形である。
【００５８】
スタートして（Ｓ４００）、設定されているシャッタスピード値、絞り値を表示部材１１，１２に表示する（Ｓ４０１）。ＳＷ７が押されたかどうかの判定を行い、押されている場合はＳ４０３へ進み押されていない場合はＳ４１２へ進む（Ｓ４０２）。測光センサ７で測光した出力を基に、Ｓ３０６で演算した絞り優先ＡＥ演算結果のシャッタスピード値と設定値の絞り値を表示部材１１，１２に表示する（Ｓ４０３）。
【００５９】
シャッタスピード値設定用の電子ダイアル１０ａが操作されたかどうかの判定を行い、操作された場合はシャッタスピード設定のためにＳ４０５へ進み、操作されていない場合は絞り値設定用電子ダイアル１０ｂのチェックのためにＳ４０８へ進む（Ｓ４０４）。
【００６０】
電子ダイアル１０ａの操作がＳＷ７が押されて始めの１クリック目かどうかの判定を行い、１クリック目の場合はシャッタスピードのＡＥ演算値を設定値にするためにＳ４０６に進み、１クリック目でない場合は設定シャッタスピード値をアップ／ダウンするためにＳ４０７へ進む（Ｓ４０５）。続いて、測光センサ７で測光した出力を基に、Ｓ３０６で演算した絞り優先ＡＥの演算シャッタスピードの設定値にセットする（Ｓ４０６）。
【００６１】
電子ダイアル１０ａの方向、クリック数に応じてシャッタスピード設定値をアップ／ダウンさせる（Ｓ４０７）。絞り値設定用の電子ダイアル１０ｂが操作されたかどうかの判定を行い、操作された場合は、絞り値設定のためにＳ４０９へ進み、操作されていない場合は４１０へ進む（Ｓ４０８）。電子ダイアル１０ｂの方向、クリック数に応じて絞り値設定をアップ／ダウンさせる（Ｓ４０９）。ＳＷ７が離されたかどうかの判定を行い、離されていると判断された場合はＳ４１１に進み、離されていない場合はＳ４０４に戻る（Ｓ４１０）。シャッタスピード値、絞り値の設定値を表示部材１１，１２に表示する（Ｓ４１１）。終り（Ｓ４１２）。
【００６２】
このように、第２の実施の形態によれば、設定値の絞り値を基に操作部材の操作で、絞り優先の演算でシャッタスピードを演算し表示して、絞り設定部材の操作でその演算値を簡単に設定値にすることによって、設定と同時に同じ操作部材で設定値変更が続けて可能になる。
【００６３】
（第３の実施の形態）
次に本発明の第３の実施の形態について図を参照して説明する。
【００６４】
図５は本発明の第３の実施の形態に係るカメラの動作のフローチャトである。
【００６５】
第３の実施の形態も、図２の構成、図３の基本撮影動作は共通となるので、重複する説明は省略して、動作として、マニアル露光に対して適正露出を示すシャッタスピード値と絞り値を演算するシャッタスピード優先ＡＥを用いる処理について説明する。
【００６６】
スタートして（Ｓ５００）、設定されているスピード値、絞り値を表示部材１１，１２に表示する（Ｓ５０１）。ＳＷ７が押されているかどうかの判定を行い、押されている場合はＳ５０３へ進み、押されていない場合はＳ５１２へ進む（Ｓ５０２）。測光センサ７で測光した出力を基に、Ｓ３０６で演算したシャッタスピード優先ＡＥ演算結果の絞り値と設定値のシャッタスピード値を表示部材１１，１２に表示する（Ｓ５０３）。
【００６７】
絞り値設定用の電子ダイアル１０ｂが操作されたかどうかの判定を行い、操作された場合は、絞り値設定のためにＳ５０５に進み、操作されていない場合は、シャッタスピード値設定用電子ダイアル１０ａのチェックのためにＳ５０８へ進む（Ｓ５０４）。
【００６８】
電子ダイアル１０ｂの操作がＳＷ７が押されて始めの１クリック目かどうかの判定を行い、１クリック目の場合は絞り値のＡＥ演算値を設定値にするためにＳ５０６へ進み、１クリック目でない場合は、設定絞り値をアップダウンさせるためＳ５０７へ進む（Ｓ５０５）。
【００６９】
測光センサ７で測光した出力を基に、Ｓ３０６で演算したシャッタスピード優先ＡＥの演算絞り値を絞り値の設定値にセットする（Ｓ５０６）。電子ダイアル１０ｂの方向、クリック数に応じて絞り値設定値をアップ／ダウンさせる（Ｓ５０７）。シャッタスピード値設定用の電子ダイアル１０ａが操作されたかどうかの判定を行い、操作された場合は、シャッタスピード値設定のためにＳ５０９に進み、操作されていない場合はＳ５１０へ進む（Ｓ５０８）。
【００７０】
電子ダイアル１０ａの方向、クリック数に応じてシャッタスピード設定値をアップ／ダウンさせる（Ｓ５０９）。ＳＷ７が離されたかどうか判定して、離されたと判断した場合はＳ５１１へ進み、離されていない場合はＳ５０４へ戻る（Ｓ５１０）。シャッタスピード値、絞り値の設定値を表示部材１１，１２に表示する（Ｓ５１１）。終り（Ｓ５１２）。
【００７１】
このように、第３の実施の形態によれば、設定値のシャッタスピード値を基に、操作部材の操作でシャッタスピード優先の演算で絞り値を演算表示し、シャッタスピード設定部材の操作でその演算値を簡単に設定値とすることによって、設定と同時に同じ操作部材で設定値変更が続けて可能になる。
【００７２】
（第４の実施の形態）
次に、本発明の第４の実施の形態について図を参照して説明する。
【００７３】
図６は本発明の第４の実施の形態に係るカメラの動作のフローチャートである。
【００７４】
第４の実施の形態でも同様に、図２の構成と図３の基本動作は共通なので、重複する説明は省略して、動作として、絞り優先ＡＥやシャッタスピード優先ＡＥにおける連動範囲外の対応について説明する。なお、図６では絞り優先の例について説明しているが、シャッタスピード優先ＡＥの場合も全く同様である。
【００７５】
スタートして（Ｓ６００）、先ず、Ｓ３０６で演算された設定絞り値に対する絞り優先演算値シャッタスピード値、設定絞り値を表示部材１１，１２に表示する。ここで演算されたシャッタスピード値が連動範囲外の場合は点滅表示を行う、また、シャッタスピード値表示の代わりに何段範囲外かを表示したり、設定できない想定適正露出を得るためのシャッタスピード値と設定最大／最小シャッタスピード値を交互に表示するなどして連動範囲外を警告してもよい（Ｓ６０１）。
【００７６】
Ｓ３０６で演算した絞り優先ＡＥの結果、シャッタスピード値が連動範囲外になったかどうかの判断を基に、連動範囲内である場合はＳ６１０へ進み、連動範囲外の場合はＳ６０３へ進む（Ｓ６０２）。ＳＷ７が押されたかどうかの判定を行い、押されている場合はＳ６０４へ進み、押されていない場合はＳ６１０へ進む（Ｓ６０３）。測光センサ７で測光した出力を基に、連動範囲内に入るまで絞り値をシフトし、Ｓ３０６と同様にその絞り値に対して絞り優先ＡＥ演算を行い、シフトした絞り値と結果のシャッタスピード値と設定値の絞り値を表示部材１１，１２に表示する（Ｓ６０４）。絞り値設定用の電子ダイアル１０ｂが操作されたかどうかの判定を行い、操作された場合は絞り値を設定するためにＳ６０６に進み、操作されてない場合はＳ６０３へ戻る（Ｓ６０５）。
【００７７】
電子ダイアル１０ｂの操作がＳＷ７が押されて始めの１クリック目かどうかの判定を行い、１クリック目の場合はシフトされた絞り値を設定値にするためＳ６０７に進み、１クリック目でない場合は、設定絞り値をアップ／ダウンするためにＳ６０８へ進む（Ｓ６０６）。シャッタスピードがギリギリ連動範囲内に入るようＳ６０４でシフトされた絞り値を絞り値の設定値にセットする（Ｓ６０７）。電子ダイアル１０ｂの方向、クリック数に応じて絞り設定値をアップ／ダウンさせる（Ｓ６０８）。絞り値の設定値とそれに対するシャッタスピードの演算値を表示部材１１，１２に表示する（Ｓ６０９）。終り（Ｓ６１０）。
【００７８】
このような、第４の実施の形態によれば、連動範囲外の時に、シフトした値を採用するかどうかを、操作部材と絞り、あるいは、シャッタヘスピード設定部材で簡単に入力できるようになる。
【００７９】
（実施の形態と請求項との対応）
請求項記載の測光手段は実施の形態における測光回路７が対応し、シャッタスピード表示手段、絞り値表示手段は外部、内部それぞれの表示部材１１，１２が対応し、シャッタスピード設定手段、絞り値設定手段はメイン電子ダイアル１０ａ、サブ電子ダイアル１０ｂが対応し、同様に表示切換え操作部材はＳＷ７が対応している。
【００８０】
なお以上が本発明の各構成と実施の形態の対応であるが、本発明のカメラはこれらの構成に限定するものでは無く、以上の構成により達成される機能と、同等の機能を達成できるもの光学器械であれば、全て包括されるものである。
【００８１】
【発明の効果】
以上説明したように、本発明によれば、マニアル露出モードにおいて、演算値を撮影意図に合わせて、撮影者の判断で絞り値、シャッタスピード値個別に設定値として用いることが可能になったので、今までにないマニアルと自動の中間的露出モード動作が可能となり、カメラの機能が拡大される。
【００８２】
更に、設定と同時に同じ操作部材で設定値変更が続けて可能となったので、マニアル露出モードにおける適正露出に対する補正の操作性が向上し、マニアル露出と絞り優先およびシャッタスピード優先の垣根がなくなって、撮影者の思考に合った露出決定が可能になる。
【００８４】
更に、これらの拡大機能が、カメラの部品を用途のまま使用する効率的な構成によって低コストで達成できる。
【図面の簡単な説明】
【図１】本発明の第１の実施の形態に係るカメラの動作のフローチャートである。
【図２】図１に示すカメラのブロック図である。
【図３】図２に示すカメラの基本的撮影動作のフローチャートである。
【図４】本発明の第２の実施の形態に係るカメラの動作のフローチヤートである。
【図５】本発明の第３の実施の形態に係るカメラの動作のフローチャートである。
【図６】本発明の第４の実施の形態に係るカメラの動作のフローチャートである。
【符号の説明】
１  マイクロコンピュータ
２  レンズ制御回路
３  液晶表示回路
４  スイッチセンス回路
５  ストロボ発光／調光制御回路
６  焦点検出回路
７  測光回路
８  シャッタ制御回路
９  モータ制御回路
１０ａ  メイン電子ダイアル
１０ｂ  サブ電子ダイアル
１１  外部表示部材
１２  内部表示部材
１３  交換レンズ
１４  外付けストロボ
【図１】
0004377972.tif 000002
【図２】
0004377972.tif 000003
【図３】
0004377972.tif 000004
【図４】
0004377972.tif 000005
【図５】
0004377972.tif 000006
【図６】
0004377972.tif 000007